(57)【要約】【課題】本発明は、アドレス情報を使用した通信で意図する相手先に確実に送信する画像通信装置に関する。【解決手段】ファクシミリ装置１は、ワンタッチダイヤル等の機能ダイヤルの登録時に、ネットワーク上の通信サーバから取得したアドレス情報のうち、ユーザＩ／Ｆ部３でオペレータが確認・選択したアドレスを、機能ダイヤルの送信先のアドレスとしてアドレス管理部１１に登録し、機能ダイヤルで宛先指定されると、当該機能ダイヤルに登録されているアドレス宛に接続して、送信する。したがって、オペレータが知らないアドレスに自動的に送信されてしまうことを防止し、誤接続を防止することができる。【選択図】          図１
2006238239.tif 000002
【特許請求の範囲】
【請求項１】
少なくともアドレス情報に基づいた接続サービスを提供する通信サーバの接続されているネットワークに接続され、前記通信サーバの提供する通信サービスを利用した通信を行うとともに、送信相手先のダイヤル情報をワンタッチダイヤル、短縮ダイヤル等の機能ダイヤルボタンに対応させて記憶するダイヤル情報記憶手段と、各種選択操作を行う選択手段と、を備えた画像通信装置であって、前記機能ダイヤルの相手先登録時に、前記電話番号が指定されると、当該指定された電話番号に基づいて前記通信サーバから当該電話番号に対応する前記アドレス情報を取得し、当該取得したアドレス情報のうち前記選択手段で選択されたアドレス情報を前記機能ダイヤルボタンに対応させて当該相手先のダイヤル情報として前記ダイヤル情報記憶手段に登録することを特徴とする画像通信装置。
【請求項２】
前記画像通信装置は、前記機能ダイヤルの相手先登録時に、前記アドレス情報とともに、前記入力された電話番号をも前記機能ダイヤルボタンに対応させて前記ダイヤル情報として前記ダイヤル情報記憶手段に登録し、前記機能ダイヤルボタンを使用した送信操作が行われると、当該機能ダイヤルボタンに対応して前記ダイヤル情報記憶手段に登録されている前記電話番号に基づいて前記通信サーバから当該電話番号に対応する前記アドレス情報を取得し、当該取得したアドレス情報が前記ダイヤル情報記憶手段の前記ダイヤル情報として登録されていない場合には、送信処理を中止することを特徴とする請求項１記載の画像通信装置。
【請求項３】
少なくともアドレス情報に基づいた接続サービスを提供する通信サーバの接続されているネットワークに接続され、前記通信サーバの提供する通信サービスを利用した通信を行うとともに、通信相手先のダイヤル情報を記憶するダイヤル情報記憶手段と、各種選択操作を行う選択手段と、を備えた画像通信装置であって、送信相手先として電話番号が指定されると、当該指定された電話番号に基づいて前記通信サーバから当該電話番号に対応する前記アドレス情報を取得し、当該取得したアドレス情報のうち前記選択手段で選択されたアドレス情報を当該送信相手先のダイヤル情報として前記ダイヤル情報記憶手段に登録するとともに、当該ダイヤル情報記憶手段のアドレス情報を使用して送信を行うことを特徴とする画像通信装置。
【請求項４】
前記画像通信装置は、前記アドレス情報の前記ダイヤル情報記憶手段への登録時に、前記入力された電話番号をも前記ダイヤル情報として当該ダイヤル情報記憶手段に登録し、当該ダイヤル情報記憶手段のダイヤル情報を利用した接続時に、当該電話番号に基づいて前記通信サーバから当該電話番号に対応するアドレス情報を取得し、当該取得したアドレス情報が当該ダイヤル情報記憶手段の当該ダイヤル情報として登録されていない場合には、送信処理を中止することを特徴とする請求項３記載の画像通信装置。
【請求項５】
前記画像通信装置は、送信を制限する相手先のアドレス情報を送信制限アドレスリストとして登録する送信制限アドレス記憶手段を備え、前記送信相手先として電話番号が指定された場合、当該電話番号に基づいて前記通信サーバから当該電話番号に対応するアドレス情報を取得し、前記送信制限アドレス記憶手段を参照して当該取得したアドレス情報が送信制限アドレスリストに送信の許可されているアドレス情報として登録されているときにのみ、送信を行うことを特徴とする請求項１から請求項４のいずれかに記載の画像通信装置。
【発明の詳細な説明】
【技術分野】
【０００１】
本発明は、画像通信装置に関し、詳細には、アドレス情報を使用した通信で意図する相手先に確実に送信する画像通信装置に関する。
【背景技術】
【０００２】
ファクシミリ装置は、従来、それ自体単独で動作するいわゆるスタンドアロンで使用されており、従来のファクシミリ通信手順（伝送手順）は、ＩＴＵ（International Telecommunication Union：国際電気通信連合）−Ｔ勧告Ｔ．３０に従って実行される。
【０００３】
近年、通信網の整備によりインターネットが普及しており、ファクシミリ装置においてもインターネットを使用してファクシミリ通信を行うインターネットファクシミリ装置が出現している（特許文献１参照）。
【０００４】
そして、今日、インターネットの急速な発展により、電話番号とインターネットの各種アドレスを変換する仕組みであるＥＮＵＭ（ＩＥＴＦ  ＲＦＣ２９１６）が注目されている。このＥＮＵＭを利用して、電話番号とネットワーク上の種々のアドレスを対応付けることで、電話番号からメールアドレスやＵＲＬ（Uniform Resource Locator）等を検索することができ、オペレータがサービス毎に複雑なアドレスを覚える必要がないという利点がある（特許文献２参照）。
【０００５】
具体的には、例えば、図１０に示すように、電話番号を、Ｅ．１６４で勧告されるＥ．１６４番号に変換し、Ｅ．１６４番号をさらにＥＮＵＭ用ドメイン名に変換して、ＤＮＳ（Domain Name System）へ問い合わせることで、ＤＮＳに登録されている資源コード（ＮＡＰＴＲレコード）からサービス情報を受け取ることができる。このＤＮＳの資源コードには、サービスプロトコルとそのＵＲＩ（Uniform Resource Identifiers）を登録することができ、また、優先度を指定して、複数登録することができる。
【０００６】
そして、電話番号を指定して送信する場合、指定された番号を元にネットワーク上のデータベースから実際のアドレスを参照して、そのアドレスへ接続するが、この接続先のアドレスは、宛先指定時ではなく、接続処理開始時に実際のアドレスが決定される。
【０００７】
【特許文献１】特開２００４−１９４２４６号公報
【特許文献２】特開２００４−３０４７１１号公報
【発明の開示】
【発明が解決しようとする課題】
【０００８】
しかしながら、上記ＥＮＵＭを利用した通信においては、電話番号を指定して送信する場合、指定された番号を元にネットワーク上のデータベースから実際のアドレスを参照して、そのアドレスへ接続するが、この接続先のアドレスは、宛先指定時ではなく、接続処理開始時に実際のアドレスが決定されるため、宛先指定時にオペレータがどこへ実際に送信されるのか確認することができず、また、データベース上に複数のアドレスが登録されている場合に、どのアドレスを使用するかで、、送信先が変わる場合があるため、誤送信の原因ともなり、利用性を向上させる上で、新たな技術が要望されている。
【０００９】
そこで、本発明は、オペレータが知らないアドレスに自動的に送信されてしまうことを防止し、誤接続やオペレータの不安を解消して、利用性の良好な画像通信装置を提供することを目的としている。
【課題を解決するための手段】
【００１０】
請求項１記載の発明の画像通信装置は、少なくともアドレス情報に基づいた接続サービスを提供する通信サーバの接続されているネットワークに接続され、前記通信サーバの提供する通信サービスを利用した通信を行うとともに、送信相手先のダイヤル情報をワンタッチダイヤル、短縮ダイヤル等の機能ダイヤルボタンに対応させて記憶するダイヤル情報記憶手段と、各種選択操作を行う選択手段と、を備えた画像通信装置であって、前記機能ダイヤルの相手先登録時に、前記電話番号が指定されると、当該指定された電話番号に基づいて前記通信サーバから当該電話番号に対応する前記アドレス情報を取得し、当該取得したアドレス情報のうち前記選択手段で選択されたアドレス情報を前記機能ダイヤルボタンに対応させて当該相手先のダイヤル情報として前記ダイヤル情報記憶手段に登録することにより、上記目的を達成している。
【００１１】
この場合、例えば、請求項２に記載するように、前記画像通信装置は、前記機能ダイヤルの相手先登録時に、前記アドレス情報とともに、前記入力された電話番号をも前記機能ダイヤルボタンに対応させて前記ダイヤル情報として前記ダイヤル情報記憶手段に登録し、前記機能ダイヤルボタンを使用した送信操作が行われると、当該機能ダイヤルボタンに対応して前記ダイヤル情報記憶手段に登録されている前記電話番号に基づいて前記通信サーバから当該電話番号に対応する前記アドレス情報を取得し、当該取得したアドレス情報が前記ダイヤル情報記憶手段の前記ダイヤル情報として登録されていない場合には、送信処理を中止するものであってもよい。
【００１２】
請求項３記載の発明の画像通信装置は、少なくともアドレス情報に基づいた接続サービスを提供する通信サーバの接続されているネットワークに接続され、前記通信サーバの提供する通信サービスを利用した通信を行うとともに、通信相手先のダイヤル情報を記憶するダイヤル情報記憶手段と、各種選択操作を行う選択手段と、を備えた画像通信装置であって、送信相手先として電話番号が指定されると、当該指定された電話番号に基づいて前記通信サーバから当該電話番号に対応する前記アドレス情報を取得し、当該取得したアドレス情報のうち前記選択手段で選択されたアドレス情報を当該送信相手先のダイヤル情報として前記ダイヤル情報記憶手段に登録するとともに、当該ダイヤル情報記憶手段のアドレス情報を使用して送信を行うことにより、上記目的を達成している。
【００１３】
この場合、例えば、請求項４に記載するように、前記画像通信装置は、前記アドレス情報の前記ダイヤル情報記憶手段への登録時に、前記入力された電話番号をも前記ダイヤル情報として当該ダイヤル情報記憶手段に登録し、当該ダイヤル情報記憶手段のダイヤル情報を利用した接続時に、当該電話番号に基づいて前記通信サーバから当該電話番号に対応するアドレス情報を取得し、当該取得したアドレス情報が当該ダイヤル情報記憶手段の当該ダイヤル情報として登録されていない場合には、送信処理を中止するものであってもよい。
【００１４】
上記各場合、例えば、請求項５に記載するように、前記画像通信装置は、送信を制限する相手先のアドレス情報を送信制限アドレスリストとして登録する送信制限アドレス記憶手段を備え、前記送信相手先として電話番号が指定された場合、当該電話番号に基づいて前記通信サーバから当該電話番号に対応するアドレス情報を取得し、前記送信制限アドレス記憶手段を参照して当該取得したアドレス情報が送信制限アドレスリストに送信の許可されているアドレス情報として登録されているときにのみ、送信を行うものであってもよい。
【発明の効果】
【００１５】
本発明の画像通信装置によれば、予めワンタッチダイヤル等の機能ダイヤルの登録時や接続時に、ネットワーク上の通信サーバから取得したアドレス情報のうち、確認・選択されたアドレスを機能ダイヤルの送信先アドレスとして登録し、また、当該選択されたアドレスに接続して送信するので、オペレータが知らないアドレスに自動的に送信されてしまうことを防止することができ、誤接続を防止することができるとともに、オペレータの不安を解消して、利用性を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図９は、本発明の画像通信装置の一実施例を示す図であり、図１は、本発明の画像通信装置の一実施例を適用したネットワークファクシミリ装置１のブロック構成図である。
【００１８】
図１において、ネットワークファクシミリ装置１は、システム制御部２、ユーザＩ／Ｆ部３、スキャナ部４、プロッタ部５、メモリ部６、ネットワークＩ／Ｆ部７、公衆網Ｉ／Ｆ部８、ＦＡＸプロトコル作成／解析部９、画像変換制御部１０及びアドレス管理部１１等を備えており、各部は、バス１２により接続されていて、通常のファクシミリ機能、メール型インターネットファクシミリ機能（Ｔ．３７）及びリアルタイム型インターネットファクシミリ機能（Ｔ．３８）を備えている。
【００１９】
システム制御部２は、ＣＰＵ（Central Processing Unit ）、ＲＯＭ（Read Only Memory）、ＲＡＭ（Random Access Memory）等を備え、ＣＰＵが、ＲＯＭ内のプログラムに基づいてＲＡＭをワークメモリとして利用しつつネットワークファクシミリ装置１の各部を制御して、ネットワークファクシミリ装置１としての処理を実行するとともに、後述する送信先アドレス選択設定処理を実行する。
【００２０】
ユーザＩ／Ｆ部（選択手段）３は、テンキーやスタートキー等の各種操作キーを備えるとともに、ディスプレイ（例えば、液晶ディスプレイ）等を備え、操作キーからは、送信操作等の各種命令が入力され、ディスプレイには、操作キーから入力された命令内容やネットワークファクシミリ装置１からオペレータに通知する各種情報、特に、後述するＤＮＳサーバ４０（図２参照）から取得したアドレスリスト等のアドレス情報が表示される。
【００２１】
スキャナ部４は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ部４の原稿読取位置に送給する。スキャナ部４は、ＡＤＦから搬送されてきた原稿を走査し、原稿の画像を所定の解像度で読み取る。
【００２２】
プロッタ部５としては、例えば、電子写真式記録装置等が使用されており、プロッタ部５は、受信した画像データやスキャナ部４で読み取った画像データに基づいて画像を用紙に記録出力する。
【００２３】
メモリ部６は、ＲＡＭあるいはハードディスク等で構成され、受信画情報や送信画情報等を主に記憶し、また、システム設定情報も記憶する。
【００２４】
ネットワークＩ／Ｆ部７は、図２に示すＬＡＮ（Local Area Network）またはインターネット等のネットワークＮＷとのインタフェースであり、ネットワークＮＷを介して種々のデータをやり取りする機能を有している。
【００２５】
公衆網Ｉ／Ｆ部８は、図２に示す公衆回線網（ＰＳＴＮ（Public Swiched Telephone Network））ＰＴとの接続インターフェースであり、ファクシミリ送受信の制御を行う。
【００２６】
ＦＡＸプロトコル作成／解析部９は、ファクシミリ及びＴ．３８で送信する場合に、プロトコルを作成／解析する。
【００２７】
画像変換制御部１０は、画情報（画像データ）のメモリ部６への蓄積の効率化及び伝送時間の短縮化を図るために画像を圧縮し、また、圧縮された画像を伸張し、また、画像変倍や線密度変換、ＴＩＦＦフォーマット変換等を行う。
【００２８】
アドレス管理部（ダイヤル情報記憶手段、送信制限アドレス記憶手段）１１は、ワンタッチダイヤル、短縮ダイヤル等の機能ダイヤルボタンに対応させて、通信相手先の電話番号や論理的なアドレスデータ等をダイヤル情報として記憶・管理するとともに、機能ダイヤルボタンに対応させて通信サーバであるＤＮＳサーバ４０から取得した当該電話番号に対応するアドレス情報をダイヤル情報として記憶する。
【００２９】
そして、ネットワークファクシミリ装置１は、選択手段としてのユーザＩ／Ｆ部３からワンタッチダイヤル、短縮ダイヤル等の機能ダイヤルボタンに対応させて通信相手先のダイヤル情報が入力され、入力されたダイヤル情報をアドレス管理部１１に登録するとともに、当該ダイヤル情報の電話番号を使用して、通信サーバであるＤＮＳサーバ４０から取得した当該電話番号に対応するアドレス情報を登録する。また、アドレス管理部１１は、ユーザＩ／Ｆ部３の操作により、送信を制限する相手先のアドレス情報を送信制限アドレスリストとして登録される。
【００３０】
なお、本実施例では、論理アドレスから実アドレスへの変換メカニズムは、ＥＮＵＭを用いるものとする。
【００３１】
そして、ネットワークファクシミリ装置１は、図２に示すように、ＬＡＮやインターネット等のネットワークＮＷを介して通信先の他のネットワークファクシミリ装置３０、ＤＮＳサーバ４０及びメールサーバ５０等に接続されており、ＤＮＳサーバ（通信サーバ）４０は、データベース４１を備え、データベース４１には、ＤＮＳサーバ４０が提供する各種サービス（通信サービス）で必要とする各種データが格納されている。ＤＮＳサーバ４０は、ネットワークＮＷを介したネットワークファクシミリ装置１等の各端末からのアドレス解決のための問い合わせに応じて、資源レコードであるデータベース４１に登録されている１つまたは複数のアドレスのアドレスリストをアドレス情報としてネットワークファクシミリ装置１に送信する。
【００３２】
次に、本実施例の作用を説明する。本実施例のネットワークファクシミリ装置１は、ワンタッチダイヤルや短縮ダイヤル等の機能ダイヤルに対応して相手先のダイヤル情報を登録する際に、当該相手先のアドレス情報をＤＮＳサーバ４０から取得して、取得したアドレス情報から選択されたアドレス情報を登録し、送信を安心して行えるようにしている。
【００３３】
すなわち、ネットワークファクシミリ装置１は、機能ダイヤル登録として、例えば、ワンタッチダイヤル登録を行う場合、図３に示すように、ワンタッチ登録メニューがユーザＩ／Ｆ部３で選択されると（ステップＳ１０１）、システム制御部２は、ワンタッチ登録設定モードに移行してワンタッチ設定メニューをＩ／Ｆ部３のディスプレイに表示する。システム制御部２は、当該ワンタッチ設定メニューに応じて登録ワンタッチキーが選択されて（ステップＳ１０２）、相手先の電話番号が入力されると（ステップＳ１０３）、自動的にまたはオペレータからの検索指示により、ネットワークＩ／Ｆ部７で電話番号をＥＮＵＭ用ドメイン名に変換し（ステップＳ１０４）、ネットワークＮＷ上のＤＮＳサーバ４０にアドレス解決のため問い合わせを行う（ステップＳ１０５）。
【００３４】
ＤＮＳサーバ４０の資源レコードに登録されている１つまたは複数のアドレス情報（アドレスリスト）を受け取ると、当該アドレスリストをユーザＩ／Ｆ部３のディスプレイに全て表示し（ステップＳ１０６）、オペレータにどのアドレスを使って送信を行うのかの選択指示を行う。
【００３５】
システム制御部２は、オペレータが表示されたアドレスの中から適切なアドレスを選択し、ワンタッチダイヤル名称等の付加情報を入力すると（ステップＳ１０７）、例えば、図４に示すように、選択されたアドレス情報をアドレス管理部１１にワンタッチダイヤル（機能ダイヤル）に対応させてダイヤル情報として登録して、登録処理を終了する（ステップＳ１０８）。
【００３６】
そして、このようにワンタッチダイヤル、短縮ダイヤル等の機能ダイヤルに対応してアドレス情報がダイヤル情報として登録されている状態で、例えば、ワンタッチダイヤルキーで送信相手先が指定されて、送信操作が行われると、システム制御部２は、送信開始時に、当該ワンタッチダイヤルに対応してアドレス管理部１１に登録されているアドレスに対して、そのまま接続処理を行い、送信動作を行う。
【００３７】
したがって、このアドレスはオペレータによって確認されて設定されたものであるため、オペレータが知らないアドレスに自動的に送信されてしまうことを防止することができ、誤接続を防止することができるとともに、オペレータの不安を解消して、利用性を向上させることができる。
【００３８】
なお、上記ダイヤル情報の登録処理においては、ダイヤル情報として、アドレス情報をワンタッチダイヤルや短縮ダイヤル等の機能ダイヤルに対応させて登録しているが、上記ダイヤル情報の登録処理時に入力された相手先の電話番号も、例えば、図５に示すように、同時に登録してもよい。
【００３９】
この場合、ワンタッチダイヤルキーで送信相手先が指定されて、送信操作が行われると、システム制御部２は、送信開始時に、当該ワンタッチダイヤルキーに対応して登録されている電話番号に基づいて電話番号をＥＮＵＭ用ドメイン名に変換して、ネットワークＮＷ上のＤＮＳサーバ４０にアドレス情報の問い合わせって、ＤＮＳサーバ４０から送られてきたアドレス情報に、上記ダイヤル情報登録処理で登録したアドレス情報が含まれているときには、当該登録されているアドレス情報宛に、接続処理を行って、送信動作を行う。ところが、システム制御部２は、ＤＮＳサーバ４０から送られてきたアドレス情報に、上記ダイヤル情報登録処理で登録したアドレス情報が含まれていないときには、送信相手先のアドレスが変更された可能性があるため、接続処理を行わずに、不達宛先として処理する。
【００４０】
このようにすると、ワンタッチ登録時のアドレス情報が実際の接続時には変更されている場合であっても、間違って送信されることを防止することができ、また、不達となる場合に、無駄な処理を行わないようにすることができる。
【００４１】
また、ネットワークファクシミリ装置１は、送信時に、図６に示すように、相手先（宛先）情報として、電話番号が入力されると（ステップＳ２０１）、システム制御部２は、ネットワークＩ／Ｆ部７で電話番号をＥＮＵＭ用ドメイン名に変換させて、ネットワークＮＷ上のＤＮＳサーバ４０にアドレス情報の問い合わせを行い（ステップＳ２０２）、ＤＮＳサーバ４０の資源レコードに登録されている１つまたは複数のアドレス情報（アドレスリスト）を受け取ると、当該アドレスリストをユーザＩ／Ｆ部３のディスプレイに全て表示して、オペレータにどのアドレスを使って送信を行うのかの選択指示を行う（ステップＳ２０３）。
【００４２】
システム制御部２は、オペレータが表示されたアドレスの中から適切なアドレスを選択したアドレス情報をアドレス管理部１１にダイヤル情報として登録（宛先ファイルを作成）して（ステップＳ２０４）、同報送信のための次の宛先があるかチェックする（ステップＳ２０５）。この場合、オペレータがアドレスを見て、送信したくない場合には、登録をキャンセルすることもできる。
【００４３】
ステップＳ２０５で、同報送信のために追加宛先を登録する場合には、システム制御部２は、ステップＳ２０１に戻って、上記同様に処理する（ステップＳ２０１〜Ｓ２０５）。
【００４４】
ステップＳ２０５で、追加の宛先を登録しないときには、システム制御部２は、ユーザＩ／Ｆ部３でスタートキーが押下されると（ステップＳ２０６）、接続処理を開始する（ステップＳ２０７）。
【００４５】
そして、システム制御部２は、図７に示すように、接続処理を開始すると（ステップＳ３０１）、接続に成功したかチェックし（ステップＳ３０２）、接続に成功すると、通常のファクシミリ送信を行う（ステップＳ３０３）。
【００４６】
ステップＳ３０２で、接続に失敗すると、システム制御部２は、予め設定されているリトライ回数を超えてリトライオーバーであるかチェックし（ステップＳ３０４）、リトライオーバーでないときには、ＤＮＳサーバ４０にネットワークＩ／Ｆ部７で電話番号をＥＮＵＭ用ドメイン名に変換させて、ネットワークＮＷ上のＤＮＳサーバ４０にアドレス情報の問い合わせを行う（ステップＳ３０５）。
【００４７】
システム制御部２は、ＤＮＳサーバ４０からアドレス情報が送られてくると、当該送られてきたアドレス情報に、上記ダイヤル情報登録処理で登録したアドレス情報が含まれているかチェックし（ステップＳ３０６）、ＤＮＳサーバ４０から送られてきたアドレス情報に、ダイヤル情報登録処理で登録したアドレス情報が含まれているときには、当該登録されているアドレス情報宛に、接続処理を行うために、再送信待ちを行う（ステップＳ３０７）。
【００４８】
ステップＳ３０６で、ＤＮＳサーバ４０から送られてきたアドレス情報に、ダイヤル情報登録処理で登録したアドレス情報が含まれていないときには、送信相手先のアドレスが変更された可能性があるため、接続処理を行わずに、不達宛先として処理する（ステップＳ３０８）。
【００４９】
また、ステップＳ３０４で、リトライオーバーであると、システム制御部２は、接続処理を行わずに、不達宛先として処理する（ステップＳ３０８）。
【００５０】
このようにすると、宛先指定時や実際の接続時に、実際の接続先アドレスをオペレータが確認して、宛先設定することができ、誤接続を確実に防止して、安心して送信することができる。
【００５１】
さらに、ネットワークファクシミリ装置１は、送信を制限する宛先のアドレス情報を送信制限アドレスリストとしてアドレス管理部（送信制限アドレス記憶手段）１１に登録して、接続を制限してもよい。
【００５２】
例えば、図８に示すように、送信可能な相手先のアドレス情報を送信を許可する送信制限アドレスリストとして予めアドレス管理部１１に登録する。なお、送信制限アドレスリストとしては、送信を許可するアドレスリストに限るものではなく、送信を禁止する相手先のアドレス情報を登録してもよい。
【００５３】
ネットワークファクシミリ装置１は、いま、このように、送信を許可する相手先のアドレス情報が送信制限アドレスリストとしてアドレス管理部１１に登録されている状態で、送信操作が行われると、システム制御部２が、宛先指定時に入力された電話番号はそのままアドレス管理部１１のダイヤル情報に設定して、実際の接続処理時に、図９に示すように、当該ダイヤル情報から電話番号を読み出して（ステップＳ４０１）、ＤＮＳサーバ４０にネットワークＩ／Ｆ部７で電話番号をＥＮＵＭ用ドメイン名に変換させて、ネットワークＮＷ上のＤＮＳサーバ４０にアドレス情報の問い合わせを行う（ステップＳ４０３）。
【００５４】
システム制御部２は、ＤＮＳサーバ４０からアドレス情報が送られてくると、ＤＮＳサーバ４０から送られてきたアドレス情報が、上記アドレス管理部１１に送信制限アドレスリストに登録されているアドレス情報が含まれているかチェックし（ステップＳ４０４）、許可されたアドレス情報があると、当該許可されたアドレス情報宛に接続して（ステップＳ４０５）、送信を行う（ステップＳ４０６）。
【００５５】
ステップＳ４０４で、ＤＮＳサーバ４０から送られてきたアドレス情報が、上記アドレス管理部１１に送信制限アドレスリストに登録されているアドレス情報が含まれていないときには、システム制御部２は、接続処理を行うことなく処理を終了する。
【００５６】
このようにすると、送信して良いアドレスかそうでないアドレスかを送信の段階で適切に判断することができ、アドレスを固定化させる不利益をなくすことができ、かつ、送信アドレスを制限して、オペレータが安心して送信処理を行うことができる。
【００５７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５８】
ＥＮＵＭを利用した通信において接続先のアドレスをオペレータの意図するアドレスに適切かつ容易に設定して、適切な宛先に安心して送信するネットワークファクシミリ装置等の画像通信装置に適用することができる。
【図面の簡単な説明】
【００５９】
【図１】本発明の画像通信装置の一実施例を適用したネットワークファクシミリ装置のブロック構成図。
【図２】図１のネットワークファクシミリ装置の接続されるネットワークシステムを示す図。
【図３】図１のネットワークファクシミリ装置によるアドレス情報登録処理を示すフローチャート。
【図４】図３のアドレス情報登録処理で登録されるダイヤル情報の一例を示す図。
【図５】アドレス情報としてアドレス情報とともに電話番号を登録した場合のダイヤル情報の一例を示す図。
【図６】送信操作時に電話番号が入力されるときのアドレス選択・設定送信処理を示すフローチャート。
【図７】図１のネットワークファクシミリ装置による接続処理を示すフローチャート。
【図８】送信を制限する相手先のアドレス情報を登録する送信制限アドレスリストの一例を示す図。
【図９】ず８の送信制限アドレスリストに基づく送信制限処理を示すフローチャート。
【図１０】電話番号とネットワーク上の種々のアドレスとの対応付けを示す図。
【符号の説明】
【００６０】
１  ネットワークファクシミリ装置
２  システム制御部
３  ユーザＩ／Ｆ部
４  スキャナ部
５  プロッタ部
６  メモリ部
７  ネットワークＩ／Ｆ部
８  公衆網Ｉ／Ｆ部
９  プロトコル作成／解析部
１０  画像変換制御部
１１  アドレス管理部
１２  バス
３０  ネットワークファクシミリ装置
４０  ＤＮＳサーバ
４１  データベース
ＰＴ  公衆回線網
ＮＷ  ネットワーク
【図１】
2006238239.tif 000003
【図２】
2006238239.tif 000004
【図３】
2006238239.tif 000005
【図４】
2006238239.tif 000006
【図５】
2006238239.tif 000007
【図６】
2006238239.tif 000008
【図７】
2006238239.tif 000009
【図８】
2006238239.tif 000010
【図９】
2006238239.tif 000011
【図１０】
2006238239.tif 000012